(57)【要約】【課題】  本発明はネットワークを使用したクレジットカードの決済システムに関し、特にユニークな個人情報をクレジットカードの番号とリンクさせ、携帯端末を使用することなくより簡便な方法で決済を行うことを可能としたクレジットカード決済システムを提供するものである。【解決手段】  高速道路のインターチェンジ等に設置されたゲート１には車Ａのナンバー等を読み取る撮像装置２が設けられ、車Ａが進入すると車Ａのナンバー等を撮影し、この情報をインターネット３を介して管理サーバ４に送る。管理サーバ４は予め登録されたナンバーの情報からクレジットカード番号の情報を検索し、抽出したカード番号の情報をカード会社５に送信し、カード決済を簡便且つ、確実に行う構成である。【選択図】図１
2005215805.tif 000002
【特許請求の範囲】
【請求項１】
カード所有者のユニーク情報を取得する情報取得手段と、
予め前記ユニーク情報に対応するカード番号の情報を登録した記憶手段と、
前記情報取得手段が取得したユニーク情報に基づいて前記記憶手段を検索し、対応するカード番号の情報を抽出する制御手段と、
該制御手段が抽出したカード番号の情報をカード会社に送信し、カード会社による決済を可能とする送信手段と、
を備えることを特徴とするカード決済装置。
【請求項２】
前記ユニーク情報は自動車のナンバーであり、前記記憶手段には該ナンバーに対応するカード番号が登録されていることを特徴とする請求項１記載のカード決済装置。
【請求項３】
カード所有者のユニーク情報を受信する受信手段と、
予め前記ユニーク情報に対応するカード番号の情報が登録された記憶手段と、
前記受信手段が受信したユニーク情報に基づいて前記記憶手段を検索し、対応するカード番号の情報を抽出する制御手段と、
該制御手段が抽出したカード番号の情報をカード会社に送信し、カード会社による決済を可能とする送信手段と、
を備えることを特徴とするサーバ。
【請求項４】
前記サーバは、インターネット、公衆回線、専用線、又はフレームリレーを介して前記ユニーク情報を取得する機器に接続され、該機器で取得した前記ユニーク情報が該機器から送信されることを特徴とする請求項３記載のサーバ。
【請求項５】
前記ユニーク情報は自動車のナンバーであり、前記記憶手段には該ナンバーに対応するカード番号が登録されていることを特徴とする請求項３、又は４記載のサーバ。
【請求項６】
前記ユニーク情報は自動車のナンバーと運転手の顔画像であり、前記記憶手段には該ナンバー及び顔画像に対応するカード番号が登録されていることを特徴とする請求項３、又は４記載のサーバ。
【請求項７】
前記ユニーク情報は指紋であり、前記記憶手段には該指紋に対応するカード番号が登録されていることを特徴とする請求項３、又は４記載のサーバ。
【発明の詳細な説明】
【技術分野】
【０００１】
本発明は、ネットワークを使用したクレジットカード等のカード決済システムに関する。
【背景技術】
【０００２】
今日、商品の購入や各種サービスを受ける際クレジットカードによる決済が広く行われている。しかし、カードを使用する際、カードを提示しサインを行うことは煩雑である。
そこで、例えば特許文献１に開示する発明が提案されている。この発明は、ショッピングの際、クレジットカードの代わりに本人の認証した携帯端末でショッピングを可能にし、より安全性の高い決済システムを提案するものである。例えば、ショッピングの際に、顔形や、指紋、眼（虹彩）、声紋等の固有情報を記憶した携帯端末で本人認証の決済を行うことにより、他人による本人成り済ましを防止し、より安全性の高いショッピングを行うシステムである。
【特許文献１】特開２００３−２１６８７８号公報
【発明の開示】
【発明が解決しようとする課題】
【０００３】
上記従来のシステムにおいては、以下の問題がある。すなわち、決済において携帯電話機等の携帯端末が必要である。しかし、サービスを受ける際、必ずしも携帯端末を所持しているとは限らない。例えば、高速道路料金の支払や、駐車料金の支払、プールや日帰り温泉内等の施設内での商品購入において不便である。
【０００４】
そこで、本発明はユニークな個人情報をクレジットカードの番号とリンクさせ、携帯端末を使用することなくより簡便な方法で決済を行うことを可能としたクレジットカード決済システムを提供するものである。
【課題を解決するための手段】
【０００５】
上記課題は本発明によれば、カード所有者のユニーク情報を取得する情報取得手段と、予め前記ユニーク情報に対応するカード番号の情報を登録した記憶手段と、前記情報取得手段が取得したユニーク情報に基づいて前記記憶手段を検索し、対応するカード番号の情報を抽出する制御手段と、該制御手段が抽出したカード番号の情報をカード会社に送信し、カード会社による決済を可能とする送信手段とを備えるカード決済装置を提供することによって達成できる。
【０００６】
このように構成することにより、クレジットカードやキャッシュカード等のカードを実際に提示し、使用することなく、ショッピングや各種サービスを受けることができる。
また、前記ユニーク情報は、例えば自動車のナンバーであり、前記記憶手段には該ナンバーに対応するカード番号が登録される構成である。
【０００７】
上記課題は本発明によれば、カード所有者のユニーク情報を受信する受信手段と、予め前記ユニーク情報に対応するカード番号の情報が登録された記憶手段と、前記受信手段が受信したユニーク情報に基づいて前記記憶手段を検索し、対応するカード番号の情報を抽出する制御手段と、該制御手段が抽出したカード番号の情報をカード会社に送信し、カード会社による決済を可能とする送信手段とを備えるサーバを提供することによって達成できる。
【０００８】
このように構成することによっても、カードを使用することなく、ショッピングや各種サービスを受けることができる。
また、前記サーバは、例えばインターネット、公衆回線、専用線、又はフレームリレーを介して前記ユニーク情報を取得する機器に接続され、該機器で取得した前記ユニーク情報が該機器から送信される構成である。
【０００９】
また、前記ユニーク情報は自動車のナンバーであり、前記記憶手段には該ナンバーに対応するカード番号が登録されている構成である。
また、前記ユニーク情報は自動車のナンバーと運転手の顔画像であり、前記記憶手段には該ナンバー及び顔画像に対応するカード番号が登録されている構成である。
【００１０】
さらに、前記ユニーク情報は指紋であり、前記記憶手段には該指紋に対応するカード番号が登録されている構成である。
【発明の効果】
【００１１】
本発明によれば、カードを実際に提示し、使用することなく、ショッピングや各種サービスを受けることができる。例えば、高速道路料金や駐車場の料金の支払いを車のナンバーをカード番号に変換してカード決済を行うことができ、またアミューズメント施設内において指紋等のユニーク情報のみを取得し、カード決済を簡単に行うことができる。
【発明を実施するための最良の形態】
【００１２】
以下、本発明の実施の形態を図面を参照しながら説明する。
（実施形態１）
図１は本発明の第１の実施形態を説明するクレジットカード決済システムのシステム構成図である。尚、本例はユニークな情報として自動車のナンバーを使用したシステムであり、例えば高速道路料金の支払や、駐車料金の支払等の場合に使用するシステムである。
【００１３】
同図において、１はゲートであり、例えば高速道路料金の支払の場合、ゲート１はＥＴＣ（Electronic  Toll  Collection）システムで使用されるような自動ゲート開閉機能付きのゲートである。また、駐車場の場合、ゲート１は料金精算機能付きゲートである。
【００１４】
また、ゲート１にはＣＣＤカメラ等の撮像装置２が配設され、進入する自動車（以下、単に車で示す）のナンバーを撮影する。また、ゲート１には制御回路、及び通信回路が設けられ、インターネット３を介して管理サーバ４に接続可能である。
【００１５】
管理サーバ４は本システムの要であり、システムの運営、管理を行う。この管理サーバ４は専用回線を介してカード会社５に接続され、後述する処理によって変換されたカード番号の情報がカード会社５に送信される。
【００１６】
図２は上記管理サーバ４の模式図である。同図において、管理サーバ４は、ＣＰＵ６、ＲＯＭ７、ＲＡＭ８等で構成され、ＣＰＵ６はＲＯＭ７に記録されたシステムプログラムに従って処理を行い、必要に応じて管理サーバ５に接続された記憶装置９ａ、９ｂをアクセスする。
【００１７】
また、ディスプレイ１０には必要な情報が表示され、通信回線を介して情報の授受が行われる。尚、本例のシステム制御はＲＯＭ７に記憶したプログラムに従って実行されるが、同図に示すように管理サーバ４に配設されたメディアドライバ１１にＣＤ−ＲＯＭ、フレキシブルディスク、ＭＯ等の記録媒体１２を装着し、この記録媒体１２から上記プログラムを読出して使用する構成としてもよい。
【００１８】
図３は、上記記憶装置９ａに構築されたデータベースの一例を示す図である。同図に示すように、このデータベースはユーザ（会員）の「ユーザ番号」、「メールアドレス」、「氏名」、「ユニーク情報」、「クレジットカード番号」、「リンク先アドレス」の各記憶エリアで構成され、「ユニーク情報」と「クレジットカード番号」との間には、紐付けが行われている。また、上記「リンク先アドレス」には、後述するデータベースにリンクする為のリンクコードが登録されている。
【００１９】
例えば、「ユーザ番号」０００１のエリアには、「メールアドレス」が“abc@de.・・・”であり、「氏名」が“〇〇〇”であり、「ユニーク情報」として車のナンバー“品川  ０９８・・”が登録されている。また、「クレジットカード番号」として“１２３４  ５６７８  ９０１２  ３４５６”の番号が登録され、「リンク先アドレス」として“ａｂｃｄ”が登録されている。
【００２０】
また、例えば次の「ユーザ番号」０００２のエリアには、「メールアドレス」が“fgh@ij.・・・”であり、「氏名」が“△△△”であり、「ユニーク情報」が“横浜  ７６５・・”であり、「クレジットカード番号」が“７８９０  １２３４  ５６７８  ９０１２”であり、「リンク先アドレス」が“ｅｆｇｈ”であるユーザ情報が登録されている。
【００２１】
上記構成において、以下に本例の処理動作を説明する。
図４は本例の処理動作を説明するフローチャートであり、同図の左側にゲート１の処理を示し、右側に管理サーバ４の処理を示す。
【００２２】
先ず、ゲート１は車Ａの進入を待つ（ステップ（以下、Ｓで示す）１）。そして、車Ａがゲート１に入ってくると（Ｓ１がＹＥＳ）、ゲート１に設置された撮像装置２によって車Ａのナンバーを撮影する（Ｓ２）。
【００２３】
次に、ゲート１に構築されたシステム制御回路によって撮像装置２で撮影された画像が解析され、例えばパターンマッチングによって車Ａのナンバーを解析する（Ｓ３）。そして、解析されたナンバーの情報とゲート１（高速道路の料金所）の名称（場所）の情報を使用して送信データを作成し（Ｓ４）、インターネット３を介して管理サーバ４に送信する（Ｓ５）。
【００２４】
管理サーバ４側では、ゲート１から送信された情報の入力を待ち（Ｓ６）、上記情報が入力すると（Ｓ６がＹＥＳ）、データベースを検索する。すなわち、図３に示す記憶装置９ａに構築されたデータベースを検索し、対応する車Ａのナンバーに基づいて「クレジットカード番号」の情報を抽出する。
【００２５】
例えば、ナンバーの情報が前述の“品川  ０９８・・”であれば、紐付けされた「クレジットカード番号」“１２３４  ５６７８  ９０１２  ３４５６”が抽出される（Ｓ８がＹＥＳ）。一方、対応する車Ａのナンバーがデータベースに登録されていない場合、又は対応する「クレジットカード番号」が抽出できない場合（Ｓ８がＮＯ）、エラーであると判断する。
【００２６】
上記処理によって抽出された「クレジットカード番号」の情報、又はエラー情報は専用回線を介してカード会社５に送信される（Ｓ９）。カード会社５では受信した「クレジットカード番号」に基づいてクレジットカード決済を行う。一方、エラー情報が送信された場合（Ｓ１０）、カード会社５は予め決められた対応を行う。
【００２７】
その後、当該車Ａが高速道路を走り、目的のインターチェンジの出口に設けられたゲートに達すると、前述の図４で説明した処理が行われ、撮像装置２で撮影されたナンバーに基づいて「クレジットカード番号」の情報が判断され、更に出口の情報から料金が計算され、カード決済が行われる。
【００２８】
以上のように、本例によれば車Ａのナンバーを確認し、クレジットカードの決済を行うことができ、ユニークな個人情報をクレジットカードの番号とリンクさせ、従来のように携帯電話等の携帯端末を使用することなくカード決済を行うことができる。
【００２９】
尚、上記例ではユニークな個人情報として車６のナンバーを使用したが、ナンバーに限らず、図５に示すように免許証番号や、パスポート番号、社員証や学生証の番号、保険証番号等を使用してもよく、更に指紋や声紋、顔画像、メールアドレス等の情報を使用してもよい。
【００３０】
また、上記例では高速道路料金について説明したが、駐車場の料金について適用してもよく、この場合入庫時車Ａのナンバーを確認し、クレジットカードの番号を確認すると共に、出庫時再度、車Ａのナンバーを確認し、クレジットカードの番号を確認し、駐車料金のカード決済を行う構成である。
【００３１】
さらに、上記説明では撮像装置２で取得したナンバー画像をゲート１側で解析したが、画像データを管理サーバ４にそのまま送り、管理サーバ４側で画像解析する構成としてもよい。
【００３２】
（実施形態２）
次に、本発明の実施形態２について説明する。
本例は前述の実施形態１に対して、更にカード決済の確認に他の条件を加え、簡便であると共に確実なカード決済を行う構成である。以下、本例を具体的に説明する。
【００３３】
図６は本例で使用する記録装置９ｂに構築されたデータベースの構成を示す図である。同図において、「リンク先アドレス」は前述の図３に示すリンク先アドレスに対応し、更にこの「リンク先アドレス」に対応して車Ａのナンバー以外に、「顔画像」、「指紋」等画像データが登録されている。この「顔画像」や「指紋」等の画像データは、当該クレジットカードの保有者の画像情報である。
【００３４】
以上の構成において、以下に本例の処理動作を説明する。
図７は本例の処理動作を説明するフローチャートであり、前述の図４に示すフローチャートに対して、更に本例の処理を加えたものである。
【００３５】
先ず、前述と同様、車Ａの進入を待ち（ステップ（以下、ＳＴで示す）１）、車Ａがゲート１に入ってくると（ＳＴ１がＹＥＳ）、ゲート１に設置された撮像装置２によって車Ａのナンバーを撮影する（ＳＴ２）。さらに、本例においては車Ａの運転手の顔も撮影する（ＳＴ３）。
【００３６】
次に、撮影したナンバーの情報を制御回路によって画像解析し、車Ａのナンバーを解析する（ＳＴ４）。また、撮影した運転手の顔画像のデータも制御回路によって画像解析する（ＳＴ５）。そして、解析されたナンバー、及び顔画像の情報をインターネット３を介して管理サーバ４に送信する（ＳＴ６）。
【００３７】
一方、管理サーバ４は、ゲート１から送信された情報の入力を待ち（ＳＴ７）、上記情報が入力すると（ＳＴ７がＹＥＳ）、データベースを検索する。すなわち、前述と同様、図３に示す記憶装置９ａに構築されたデータベースを検索し、対応する車Ａのナンバーの「クレジットカード番号」の情報を抽出する（ＳＴ８）。そして、「クレジットカード番号」の抽出が行われると、次に「リンク先アドレス」を検索し、検索したリンク先アドレスをアクセスする（ＳＴ１０）。
【００３８】
次に、撮影した顔画像のデータと図６に示す顔画像のデータを比較し、例えば予め設定された一致率を超えると両画像が一致すると判断する。例えば、一致率９０％を越えると両顔画像は一致するものと判断する。
【００３９】
例えば、前述の例の場合、ナンバーの情報が“品川  ０９８・・”であり、紐付けされた「クレジットカード番号」“１２３４  ５６７８  ９０１２  ３４５６”が抽出されると共に、「リンク先アドレス」“ａｂｃｄ”に対応する顔画像のデータが一致されるか否かも確認される（ＳＴ１１）。
【００４０】
したがって、本例では車Ａのナンバーのみならず、運転手の顔画像も一致した場合のみ「クレジットカード番号」の情報がカード会社５に送信される（ＳＴ１１がＹＥＳ、ＳＴ１２）。すなわち、ナンバーが一致しない場合や、運転手の顔画像が一致しない場合、エラー情報の送信が行われ（ＳＴ１３、ＳＴ１４）、カード会社５は予め決められた対応を行うことができる。
【００４１】
その後、当該車Ａが高速道路を走り、目的のインターチェンジの出口に設けられたゲートに達すると、上記と同じ処理が行われ、撮像装置２で撮影されたナンバー及び運転手の顔画像に基づいて「クレジットカード番号」の情報が判断され、更に出口の情報から料金が計算され、カード決済が行われる。
【００４２】
以上のように、本例によれば車Ａのナンバーのみならず、運転手の顔画像の一致も判断してカード決済を行うことができ、簡便な方法であると共に確実なカード決済を行うことができる。
【００４３】
また、上記のように構成することによって、窃盗犯が盗難車を運転して高速道路を通行し、又は駐車場に車Ａを駐車したような場合、犯人検挙に本システムを役立てることができる。
【００４４】
尚、本例においても、前述の図５に示すように更に他の条件を加味した構成としてもよく、更に確実なカード決済を行うことができる。
また、図８はプールや日帰り温泉等のアミューズメント施設内での本システムの適用を説明するものであり、アミューズメント施設１４内でのサービスや食堂商品購入の全てを指紋認証によって決済する構成である。すなわち、指紋認証を行い、ＩＤ番号を付与し、当該ＩＤ番号をインターネット１５を介して管理サーバ１５に送信し、管理サーバ１５においてＩＤ番号をクレジットカード番号に変換し、カード会社１６に送信する構成である。
【００４５】
このように構成することにより、アミューズメント施設１４内でのサービスや商品購入において、簡便にカード決済を行うことができる。
尚、上記実施形態の説明では、サーバと機器はインターネットを介して接続されていたが、インターネットに限らず、公衆回線、専用線、フレームリレー等を利用する構成としてもよい。
【図面の簡単な説明】
【００４６】
【図１】本発明の第１の実施形態を説明するクレジットカード決済システムのシステム構成図である。
【図２】管理サーバの模式図である。
【図３】記憶装置に構築されたデータベースの一例を示す図である。
【図４】実施形態１の処理動作を説明するフローチャートである。
【図５】ユニーク情報の例を説明する図である。
【図６】実施形態２で使用するデータベースの構成を示す図である。
【図７】実施形態２の処理動作を説明するフローチャートである。
【図８】本発明をアミューズメント施設内で適用する例を説明する図である。
【符号の説明】
【００４７】
１  ゲート
２  撮像装置
３  インターネット
４  管理サーバ
５  カード会社
６  ＣＰＵ
７  ＲＯＭ
８  ＲＡＭ
９ａ、９ｂ  記憶装置
１０  ディスプレイ
１１  メディアドライバ
１２  記録媒体
１４  アミューズメント施設
１５  管理サーバ
１６  カード会社
【図１】
2005215805.tif 000003
【図２】
2005215805.tif 000004
【図３】
2005215805.tif 000005
【図４】
2005215805.tif 000006
【図５】
2005215805.tif 000007
【図６】
2005215805.tif 000008
【図７】
2005215805.tif 000009
【図８】
2005215805.tif 000010